(57)【要約】【課題】  既存の大部屋を壁側パネル、サイドパネル及びカーテン又は開閉可能な仕切手段で仕切って個室化するためのパネルシステムにおいて、壁側パネルの所望位置に、構造壁に設けたスイッチや接続ボックスを露出させる開口部を設け、小物を収容する物品収容部を設け、フレームの縦枠等を隠蔽して外観性を損なうことがない大部屋の個室化パネルシステムにおける開口装置を提供する。【解決手段】  壁側パネル１及びサイドパネルを、フレーム１１に複数のパネル板２１を上下に着脱可能に配したブロックパネル構造とし、壁側パネルの一部に、フレームの両側縦枠１２を隠蔽する表面部と奥行方向に延びた内側面部を有するオープン枠体５１を取付けて開口部Ｍを設け、オープン枠体を形成する下側横枠部材５４の内側面部５４ｂにおける前後縁のうち少なくとも前縁に立上げ部５４ｃを形成した。【選択図】        図８
2007002488.tif 000002
【特許請求の範囲】
【請求項１】
大部屋の構造壁に沿って壁側パネルを設置するとともに、該壁側パネルに対して直角に単又は複数のサイドパネルを連結して設置し、該サイドパネルの遊端側に開閉可能なカーテン又は開閉可能な仕切手段を配置して個室化するためのパネルシステムにおいて、前記壁側パネル及びサイドパネルを、フレームに複数のパネル板を上下に着脱可能に配したブロックパネル構造とし、前記壁側パネルの一部に、前記フレームの両側縦枠を隠蔽する表面部と奥行方向に延びた内側面部を有するオープン枠体を取付けて開口部を設け、前記オープン枠体を形成する下側横枠部材の内側面部における前後縁のうち少なくとも前縁に立上げ部を形成したことを特徴とする大部屋の個室化パネルシステムにおける開口装置。
【請求項２】
前記オープン枠体を形成する上下横枠部材の内側面部にレール部を設け、該レール部に開閉可能に引戸を設けてなる請求項１記載の大部屋の個室化パネルシステムにおける開口装置。
【請求項３】
前記フレームの両側縦枠の前面に、前記パネル板の両側背面に設けた上下連結具を嵌合係止するための係合孔を、上下方向に所定間隔で複数形成し、前記オープン枠体の両側縦枠部材の表面部背面の上下部に、前記係合孔に嵌合係止する係止具を設けてなる請求項１又は２記載の大部屋の個室化パネルシステムにおける開口装置。
【請求項４】
前記フレームは、両縦枠間の上下端に上横枠及び下横枠を横設するとともに、両縦枠間の上下中間部に単又は複数の中横枠を横設したものであり、前記上横枠又は下横枠と中横枠間、若しくは上下一対の中横枠間に、所定間隔で一対の補助縦枠を固定し、前記フレームの縦枠の前面と前記補助縦枠の前面を面一に設定するとともに、両側縦枠の前面に、前記パネル板の両側背面に設けた上下連結具を嵌合係止するための係合孔を、上下方向に所定間隔で複数形成し、前記補助縦枠の前面で前記縦枠の係合孔と同じ高さ位置に少なくとも上下二箇所にそれぞれ左右一対の係合孔を形成し、両補助縦枠の内側の係合孔に、前記オープン枠体の両側縦枠部材の表面部背面の上下部に設けた係止具を嵌合係止するとともに、補助縦枠の外側の係合孔と縦枠の係合孔とに、補助パネル板の背面両側部の上下部に設けた連結具を嵌合係止し、前記フレームにオープン枠体とその両側に補助パネル板を着脱可能に取付けてなる請求項１又は２記載の大部屋の個室化パネルシステムにおける開口装置。
【発明の詳細な説明】
【技術分野】
【０００１】
本発明は、大部屋の個室化パネルシステムにおける開口装置に係わり、更に詳しくは既存の大部屋の病室を個室化するためのパネルシステムにおいて、パネルの適所に開口部を形成するための開口装置に関するものである。
【背景技術】
【０００２】
従来、病院の大部屋病室は、廊下側の中央部に出入口があり、該出入口と対面する側には採光のための複数の窓を有し、その両側は構造壁で仕切られた構造が一般的であり、そして出入口から窓へ向かう通路となる共用空間を設け、その両側にベッドを取り囲むように設けられたカーテンで仕切られた個人用空間を設け、その空間内に構造壁側に頭が向くようにベッドが配置された形態が一般的であり、通常は４人部屋、あるいは６人部屋が多い。このような大部屋をカーテンのみで仕切った従来の個人用空間では、入院患者のプライバシーを確保することは殆ど不可能であるばかりでなく、他の患者に対する気遣いも必要であり、それが過度になると患者に心理的ストレスを生じさせたり、患者同士のトラブルの原因ともなり、お世辞にも快適な療養環境とは言えなかった。また、見舞い者や付添い人にとっても居心地が悪く、疲労感を増大させるものであった。
【０００３】
この改善策として、特許文献１には、病院の大部屋において左右で隣り合うベッドの間を床に設置するサイドパネルによって仕切り、前記各ベッドの頭部側には壁側パネルを設置すると共に、各ベッドの足元側は開閉可能なカーテンを配置した病院の大部屋に形成した個室が開示されている。ここで、前記サイドパネルに、前記ベッドを使用する患者の視野に入る部位に平面状画面のテレビ受像機、又は、該受像機の取付支持具を設けると共に、前記サイドパネル又は壁側パネルに前記ベッドに向けて人感知センサーを設ける点が開示されている。更に、パネルに積層タイプのブロックパネルを使用し、ブロックパネルの一部に光透過性のものを使用するか、又は、適宜の着色等を施したものを使用するか、若しくは、光透過性のパネルと着色等を施したパネルを使用する点、あるいはサイドパネル又は壁側パネルには、収納機能を有する収納壁ブロックを使用する点も開示されている。
【０００４】
前述の病室の構造壁には、呼び出しボタン等の各種のケア機器のコードやケーブル等の配線類を接続するため、あるいは酸素吸入器のホース等の配管類を接続するための接続ボックスが設けられているが、前記壁側パネルを構造壁に接近して配置する場合、前記接続ボックスを露出させるために壁側パネルの一部を開放しなければならない。しかし、前述の特許文献１に記載されたパネルシステムは、このような状況においても使用に耐えるようにはなっていない。但し、ブロックパネル構造であるので、何れかのパネル板を外して開口部を設けることは可能であるが、両縦枠や場所によっては横枠が露出するので、外観性において問題がある。
【０００５】
尚、特許文献２には、左右に立設した縦枠と上下複数本の横枠とでフレームを構成し、このフレームにパネルを回動可能に装着してなる間仕切装置において、フレームで囲われた内側に、当該フレームにねじ止め等によって固定されたインナーフレームを配置し、このインナーフレームにパネルを回動可能に取付けている。ここで、前記インナーフレームは、パネルが蝶番にて回動自在と取付けられた下部部材と、下部部材の上方に配置されると共に物品収納機能を有する前向き開口箱状の上部部材とから成っており、下部部材と上部部材とのうち少なくとも何れか一方をフレームにねじ止め等によって固定している。この場合、インナーフレームでフレームの縦枠や横枠が覆われている。
【０００６】
しかし、この特許文献２に記載の構造は、インナーフレームの上部部材が一面を開放した箱形状のものであるので、内部に物品を載置する空間を形成することはできても、ブロックパネルの一部に開口部を設けることができるようにはなっていないのである。
【特許文献１】特開２００４−３５３４１６号公報（図１、図２）
【特許文献２】特開２００４−１９１６５公報（図１、図７）
【発明の開示】
【発明が解決しようとする課題】
【０００７】
そこで、本発明が前述の状況に鑑み、解決しようとするところは、既存の大部屋の構造壁に沿って壁側パネルを設置するとともに、該壁側パネルに対して直角に単又は複数のサイドパネルを連結して設置し、該サイドパネルの遊端側に開閉可能なカーテン又は開閉可能な仕切手段を配置して個室化するためのパネルシステムにおいて、前記壁側パネルの所望位置に、構造壁に設けたスイッチ、各種配線、配管類の接続ボックスを露出させるための開口部を設けることができ、また花瓶、写真立て、ぬいぐるみ等の小物を収容して飾ることが可能な物品収容部を設けることができ、しかもフレームの縦枠等を隠蔽して外観性を損なうことがないようにした大部屋の個室化パネルシステムにおける開口装置を提供する点にある。
【課題を解決するための手段】
【０００８】
本発明は、前述の課題解決のために、大部屋の構造壁に沿って壁側パネルを設置するとともに、該壁側パネルに対して直角に単又は複数のサイドパネルを連結して設置し、該サイドパネルの遊端側に開閉可能なカーテン又は開閉可能な仕切手段を配置して個室化するためのパネルシステムにおいて、前記壁側パネル及びサイドパネルを、フレームに複数のパネル板を上下に着脱可能に配したブロックパネル構造とし、前記壁側パネルの一部に、前記フレームの両側縦枠を隠蔽する表面部と奥行方向に延びた内側面部を有するオープン枠体を取付けて開口部を設け、前記オープン枠体を形成する下側横枠部材の内側面部における前後縁のうち少なくとも前縁に立上げ部を形成してなる大部屋の個室化パネルシステムにおける開口装置を構成した（請求項１）。
【０００９】
ここで、前記オープン枠体を形成する上下横枠部材の内側面部にレール部を設け、該レール部に開閉可能に引戸を設けてなることが好ましい（請求項２）。
【００１０】
また、前記フレームの両側縦枠の前面に、前記パネル板の両側背面に設けた上下連結具を嵌合係止するための係合孔を、上下方向に所定間隔で複数形成し、前記オープン枠体の両側縦枠部材の表面部背面の上下部に、前記係合孔に嵌合係止する係止具を設けてなることも好ましい（請求項３）。
【００１１】
そして、前記フレームは、両縦枠間の上下端に上横枠及び下横枠を横設するとともに、両縦枠間の上下中間部に単又は複数の中横枠を横設したものであり、前記上横枠又は下横枠と中横枠間、若しくは上下一対の中横枠間に、所定間隔で一対の補助縦枠を固定し、前記フレームの縦枠の前面と前記補助縦枠の前面を面一に設定するとともに、両側縦枠の前面に、前記パネル板の両側背面に設けた上下連結具を嵌合係止するための係合孔を、上下方向に所定間隔で複数形成し、前記補助縦枠の前面で前記縦枠の係合孔と同じ高さ位置に少なくとも上下二箇所にそれぞれ左右一対の係合孔を形成し、両補助縦枠の内側の係合孔に、前記オープン枠体の両側縦枠部材の表面部背面の上下部に設けた係止具を嵌合係止するとともに、補助縦枠の外側の係合孔と縦枠の係合孔とに、補助パネル板の背面両側部の上下部に設けた連結具を嵌合係止し、前記フレームにオープン枠体とその両側に補助パネル板を着脱可能に取付けてなることも好ましい（請求項４）。
【発明の効果】
【００１２】
以上にしてなる請求項１に係る発明の大部屋の個室化パネルシステムにおける開口装置は、ブロックパネル構造の一部のパネル板の代わりに、フレームの両側縦枠にオープン枠体を取付けることにより、壁側パネルの所定高さ位置にオープン枠体で囲まれた開口部を設けることができるので、構造壁に設けたスイッチ、各種配線、配管類の接続ボックスを開口部を通して露出させることができ、しかもオープン枠体の表面部でフレームの両側縦枠を隠蔽するので、外観性の向上が図れ、またオープン枠体の内側面部で囲まれた空間を物品収容部として利用でき、下側横枠部材の内側面部における前後縁のうち少なくとも前縁に立上げ部を形成したので、下側横枠部材の内側面部に載置した花瓶、写真立て、ぬいぐるみ等の小物の落下を防止することができるのである。このような大部屋の個室化パネルシステムを用いて病院の大部屋病室を個室化した場合、殺風景な準個室を小物で飾ることができるのである。
【００１３】
請求項２によれば、オープン枠体の内側面部で囲まれた空間で形成された物品収容部に開閉可能な引戸を設けることができるので、物品収容部の使用形態の多様化を図ることができ、前記レール部を内側面部の後縁部に設ければ、その後方の構造壁に有する接続ボックス等を隠蔽することができるとともに、引戸の前面側に小物を収容することができ、その場合には引戸によって小物の後方落下を防止でき、また前記レール部を内側面部の前縁部に設ければ、同様に接続ボックス等を隠蔽することができる。ここで、引戸を前縁部に設けた場合において、引戸を透明板とすることで、引戸を閉じたまま内部に収容した小物を見ることができるとともに、該小物の前方落下を確実に防止することができるのである。
【００１４】
請求項３によれば、フレームの両側縦枠の前面に形成した係合孔に、パネル板の両側背面に設けた上下連結具を嵌合係止することにより、該パネル板を着脱可能に上下に複数取付けてブロックパネル構造の壁側パネルを構成することができ、その内の何れかのパネル板を外して、その露出した両側縦枠の係合孔を利用して、オープン枠体の両側縦枠部材の表面部背面の上下部に設けた係止具を、前記係合孔に嵌合係止することにより容易に取付けることができる。
【００１５】
請求項４によれば、フレームの上横枠又は下横枠と中横枠間、若しくは上下一対の中横枠間に、所定間隔で固定した一対の補助縦枠に、オープン枠体を取付けるとともに、その両側に補助パネル板を取付けることにより、パネル板の横幅より十分に狭い横幅を有する開口部を壁側パネルの一部に設けることができ、しかも両補助縦枠の間隔とオープン枠体の横枠部材の長さを調節することにより、開口部の横幅を任意に設定できるのである。
【発明を実施するための最良の形態】
【００１６】
次に、本発明の実施形態を添付図面に基づき詳細に説明する。図１は、本発明に係る大部屋の個室化パネルシステムが用いられた大部屋病室の例を示す平面図である。図１において、病院の大部屋病室Ｒは、廊下側の中央部に出入口Ｄがあり、該出入口Ｄと対面する側には採光のための複数の窓Ｗ，Ｗを有し、その両側は構造壁Ｃ，Ｃで仕切られており、出入口Ｄから窓Ｗ，Ｗ側まで共用空間Ｓが設けられている。そして、大部屋の個室化パネルシステムＡ，Ａにより、準個室Ｒ１〜Ｒ４が形成される。また、前記構造壁Ｃ側に頭部側を向けてベッドＢ，…が配置される。
【００１７】
大部屋の個室化パネルシステムＡは、大部屋Ｒの構造壁Ｃに沿って壁側パネル１，１を設置するとともに、該壁側パネル１，１に対して直角に連結されたサイドパネル２により形成される平面視略Ｔ字状とし、該サイドパネル２の遊端側の共用空間Ｓに面する位置にカーテンＣＴ，ＣＴを設けて、準個室Ｒ１，Ｒ２（Ｒ３，Ｒ４）間が仕切られる。ここで、前記カーテンＣＴの代わりに、扉付きパネル又は衝立等の開閉可能な仕切手段を配置してもよい。尚、該個室化パネルシステムＡは、壁側パネル１，…に対して、複数のサイドパネル２，…を、間隔を置いて平面視π字状に連結して構成してもよい。この場合は、一方の構造壁Ｃの側に三つの準個室が形成され、大部屋Ｒを６人部屋として使用できる。
【００１８】
このような大部屋の個室化パネルシステムＡ，…を用いると共に、該パネルシステムＡのサイドパネル２の遊端側に開閉可能なカーテンＣＴ又は開閉可能な仕切手段を配置すれば、既設の大部屋Ｒに、よりプライバシーが確保された準個室Ｒ１，…を容易に形成することができる。また、本発明に係る大部屋の個室化パネルシステムＡは、壁側パネル１，１にサイドパネル２を平面視略Ｔ字状、あるいは平面視π字状に連結した構造体であるので、床面Ｆに自立状態で設置することが可能であり、構造壁Ｃや床面Ｆに何ら手を加える必要がない。従って、既存の病院の大部屋Ｒに、短時間で簡単に設置することが可能であり、その際に騒音等が発生しないので、他の大部屋の入院患者はそのままの状態で施工することも可能である。
【００１９】
図２〜図４は、壁側パネル及びサイドパネルを構成する間仕切パネルの構造の説明図であり、図２は部分分解斜視図、図３はパネル板を縦枠に取付ける構造を示す部分分解斜視図、図４は、フレームの表裏両面にパネル板を取付けた状態を示す縦断側面図である。
【００２０】
壁側パネル１及びサイドパネル２を構成する間仕切パネルは、フレーム１１の表裏に複数枚のパネル板２１，…を上下方向に配列させて着脱可能とした積層タイプのブロックパネル構造である。フレーム１１は両側縦枠１２，１２間に複数の横枠１３，…を横設してなり、縦枠１２のパネル板２１取付面には係合孔１２ａ，…が形成されている。本実施形態では、両側縦枠１２，１２の上端間に上横枠１３ａを横設し、下端間に下横枠１３ｂを横設し、中間部間に単又は複数の中横枠１４を横設している。
【００２１】
パネル板２１の両側縁部の裏面（フレーム１１に対向する面）には、上下の取付孔２１ａ，２１ａが形成されている。そして、該上下の取付孔２１ａ，２１ａには、上部連結具３１及び下部連結具３２が内嵌される。そして、前記フレーム１１の両側の縦枠１２，１２に形成した上下左右の係合孔１２ａ，…に、前記下部連結具３２に設けた下向きフック３２ａを係止するとともに、前記上部連結具３１に設けた係合爪３１ａを抜止め状態で弾性係合させて前記パネル板２１を取付ける。従って、パネル板２１，…は、壁側パネル１及びサイドパネル２を構成する間仕切パネルのフレーム１１，…から容易に着脱することができる。尚、上下のパネル板２１，２１間には、横目地材２２が配設されており、上下のパネル板間の間隙を塞ぐと共に特に意匠面での統一感を向上することができる。
【００２２】
図５及び図６は、間仕切パネルの連結構造の説明図であり、図５は分解斜視図、図６は横断平面図である。連結ブロック４１は、水平方向の直交する４方向に間仕切パネルを連結することができる構造となっており、該４方向のうちの１方向には、直接縦枠１２が、その通孔１２ｂを通して取付ボルト４３を螺孔４１ｂに螺合させることにより取付けられる。そして、他の３方向には、通孔４２ｂ，４２ｂを通して螺孔４１ａ，４１ａに取付ネジ４４，４４を螺合させて取付部材４２を連結ブロック４１に固定した状態で、その通孔１２ｂを通して取付ボルト４３を取付部材４２の螺孔４２ａに螺合させることにより、縦枠１２を取付けることができる。
【００２３】
したがって、図５及び図６に示すように、平面視略Ｔ字状の個室化パネルシステムＡにおける壁側パネル１，１及びサイドパネル２を強固にかつ容易に連結することができる。なお、連結ブロック４１には、壁側パネル１，１及びサイドパネル２が連結されない部分に連結部カバー４５が装着され、壁側パネル１及びサイドパネル２間の目地部には、突起部４１ｃ，４１ｃに目地カバー４６，４６が装着される。また、サイドパネル２の遊端部には側カバー４７が装着される。
【００２４】
本実施形態では、前記準個室に面する壁側パネル１及びサイドパネル２は、それぞれ３枚の間仕切パネルを直線状に連結して構成されている。各間仕切パネルを直線状に連結するには、隣接するフレーム１１，１１の両側縦枠１２，１２同士を、その間に図示しない連結ブロックを介して直接ボルトで連結する。ここで、前記間仕切パネルは、横幅が９００ｍｍ、あるいは６００ｍｍ、厚さが９０ｍｍのものを使用している。また、前記パネル板２１の上下幅は、前記フレーム１１の縦枠１２に形成した係合孔１２ａ，…の最小上下間隔に取付けることが可能な最小基準幅の整数倍で自由に決定することができる。
【００２５】
次に、図７〜図１７に基づいて本発明の大部屋の個室化パネルシステムにおける開口装置を説明する。本実施形態では、前記壁側パネル１に開口部を設ける例を示す。
【００２６】
本発明に係る開口装置は、大部屋Ｒの構造壁Ｃに沿って壁側パネル１，…を設置するとともに、該壁側パネル１，…に対して直角に単又は複数のサイドパネル２，…を連結して設置し、該サイドパネル２，…の遊端側に開閉可能なカーテンＣＴ又は開閉可能な仕切手段を配置して個室化するためのパネルシステムＡにおいて、前記壁側パネル１及びサイドパネル２を、フレーム１１に複数のパネル板２１，…を上下に着脱可能に配したブロックパネル構造とし、前記壁側パネル１の一部に、前記フレーム１１の両側縦枠１２，１２を隠蔽する表面部５２ａ、５３ａ、５４ａと奥行方向に延びた内側面部５２ｂ、５３ｂ、５４ｂを有するオープン枠体５１を取付けて開口部Ｍを設け、前記オープン枠体５１を形成する下側横枠部材５４の内側面部５４ｂにおける前後縁のうち少なくとも前縁に立上げ部５４ｃを形成したものである。
【００２７】
本実施形態では、構造壁Ｃに沿って接近して設置した前記壁側パネル１に開口部Ｍを設けるので、前記オープン枠体５１は、壁側パネル１を構成するフレーム１１の表面側からのみ取付けている。そして、前記壁側パネル１に開口部Ｍを形成することによって、構造壁Ｃに設けられているスイッチ、各種配線、配管類の接続ボックス（図示せず）を露出させるのである。また、前記オープン枠体５１は、少なくとも壁側パネル１の厚さ分だけの奥行を有し、その開口部Ｍは花瓶、写真立て、ぬいぐるみ等の小物を収容して飾ることが可能な物品収容部となるのである。そして、前記オープン枠体５１を形成する下側横枠部材５４の内側面部５４ｂにおける前後縁のうち少なくとも前縁に立上げ部５４ｃを形成したので、この立上げ部５４ｃによって小物が前方へ落下することを防止するのである。更に、前記オープン枠体５１には、前記フレーム１１の両側縦枠１２，１２を隠蔽する表面部５２ａ、５３ａ、５４ａと奥行方向に延びた内側面部５２ｂ、５３ｂ、５４ｂを有するので、フレーム１１が露出することがなく、外観性を損なうことがないのである。ここで、前記オープン枠体５１を設けない他の部位は、複数の前記パネル板２１，…を前記フレーム１１の両側縦枠１２，１２に着脱可能に取付けている。尚、本実施形態では、前記壁側パネル１は、構造壁Ｃに接近して設置されているので、裏面側、即ち構造壁側のパネル板２１は省略している。勿論、本発明はフレーム１１の表裏両面にパネル板２１，…を取付ける場合にも同様に適用することができるのである。
【００２８】
次に、図７〜図１２に基づいて本発明の第１実施形態を説明する。前記オープン枠体５１は、アルミニウムの押出し型材の端部を４５度の角度で切断して両側縦枠部材５２，５２と上側横枠部材５３及び下側横枠部材５４を形成し、その切断部で突き合わせた状態でＬ金具５６，…にてネジ止め連結し、正面視四角形状となしたものである。ここで、前記縦枠部材５２は、断面略Ｌ字形を有し、前記フレーム１の縦枠１２の前面側に位置する表面部５２ａと壁側パネル１の厚さだけ縦枠１２の内側面に沿って進入する内側面部５２ｂとを有している。また、前記横枠部材５３，５４も前記縦枠部材５２と同じ断面形状を有し、それぞれ表面部５３ａ，５４ａと内側面部５３ｂ，５４ｂを有する断面略Ｌ字形であるが、更に下側横枠部材５４の前後縁のうち少なくとも前縁に立上げ部５４ｃを形成する。本実施形態では、上側横枠部材５３と下側横枠部材５４は同一断面形状であり、上側横枠部材５３の前縁にも立下げ部５３ｃを形成している。尚、上側横枠部材５３は、立下げ部５３ｃの無い縦枠部材５２と同一断面形状のものでも良い。
【００２９】
そして、図１１に示すように、前記オープン枠体５１の両縦枠部材５２，５２の表面部５２ａ，５２ａの背面側上下部に前記一対の係合孔１２ａ，１２ａに嵌合係止する係止具５５，５５をそれぞれ突設し、該係止具５５，…を所定高さの縦枠１２の係合孔１２ａ，…に嵌合係止して前記フレーム１の表面側から取付ける。
【００３０】
また、図１３は、第２実施形態を示し、本実施形態は、前記オープン枠体５１を構成する下側横枠部材５４の前後縁に立上げ部５４ｃ、５４ｄを形成するとともに、上側横枠部材５３の前後縁にも立下げ部５３ｃ、５３ｄを形成したものである。このように、少なくとも下側横枠部材５４の後縁に立上げ部５４ｄを形成することにより、下側横枠部材５４の内側面部５２ｂに載置した小物が後方へ落下するのを防止することができるのである。
【００３１】
また、図１４は、第３実施形態を示し、本実施形態は、前述の第１実施形態において、前記オープン枠体５１を構成する上側横枠部材５３と下側横枠部材５４の各内側面部５３ｂ，５４ｂに、それぞれ２条の凹溝からなるレール部５７，５７を設け、両レール部５７，５７間に２枚の引戸５８，５８を引き違い可能に設け、前記物品収納部を開閉可能としたものである。ここで、前記前記レール部５７，５７を各内側面部５３ｂ，５４ｂの前縁部に設け、前記引戸５８を透明板で作成すると、該引戸５８，５８を閉じた状態でも引戸５８の後方の物品収納部に収容した小物を観賞することができる。一方、前記引戸５８を不透明板で作成すると、該引戸５８，５８を閉じた状態では構造壁Ｃに設けた前述の接続ボックスを使用しないときに後前縁部に設けると、その前方の物品収納部に小物を収容することができ、また前記引戸５８によって該小物の後方落下を防止できるのである。
【００３２】
尚、前記レール部５７は、前記横枠部材５３，５４の押出し成形時に、内側面部５３ｂ，５４ｂに同時に形成することも可能であるが、別部材として成形したレール部５７をそれぞれ横枠部材５３，５４内側面部５３ｂ，５４ｂの前縁部にネジ止めや接着等によって取付けることも可能である。
【００３３】
次に、図１５〜図１７に基づいて本発明の第４実施形態を説明する。前述までの実施形態では、前記オープン枠体５１の横幅は、前記壁側パネル１の横幅と略同一であったが、本実施形態では、前記壁側パネル１の横幅よりも十分に狭い横幅のオープン枠体５１を取付けて開口部Ｍを形成するものである。本実施形態でも前記フレーム１１の基本構造は、前述のものと同じであり、またパネル板２１とオープン枠体５１を着脱可能に取付ける構造も同様である。本実施形態では、図１５に示すように、壁側パネル１の中央部に横幅が狭いオープン枠体５１を取付けるとともに、その両側に補助パネル板６１，６１を取付けた形態である。
【００３４】
更に詳しくは、前記フレーム１１は、両側縦枠１２，１２の上下端間に上横枠１３ａと下横枠１３ｂとを横設して正面視四角形のフレーム構造とし、更に両側縦枠１２，１２の上下中間部間に単又は複数の中横枠１４を横設したものである。また、前記上横枠１３ａ、下横枠１３ｂ及び中横枠１４は、四角パイプ状の部材であり、その奥行方向の寸法は前記縦枠１２の奥行寸法よりも十分に小さく設定されている。そして、前記オープン枠体５１を取付ける位置に、両側に間隔を隔てて一対の補助縦枠６２，６２を設けるのである。ここで、壁側パネル１の最上段にオープン枠体５１を取付ける場合には、上横枠１３ａとその直下の中横枠１４との間に、前記補助縦枠６２，６２を垂設して溶接やネジ止め等によって固定する。また、最下段にオープン枠体５１を取付ける場合には、下横枠１３ｂとその直上の中横枠１４との間に前記補助縦枠６２，６２を垂設し、そして図示したように上下中間部にオープン枠体５１を取付ける場合には、上下の中横枠１４，１４間に前記補助縦枠６２，６２を垂設するのである。
【００３５】
また、前記補助縦枠６２は、図１６に示すように、前記縦枠１２の奥行寸法と一致させており、つまり前記補助縦枠６２の前面を前記フレーム１１の縦枠１２の前面と面一に設定している。そして、前記補助縦枠６２の前面には、前記縦枠１２に設けた係合孔１２ａ，…と同じ高さ位置に少なくとも上下二箇所にそれぞれ係合孔６２ａ，…を形成している。そして、前記オープン枠体５１の両縦枠部材５２，５２の表面部５２ａ，５２ａの背面側上下部にそれぞれ突設した前記係止具５５，…を、両補助縦枠６２，６２の内側の係合孔６２ａ，…に嵌合係止して取付ける。
【００３６】
また、前記補助パネル板６１は、図１７に示すように、両側上下部に前記パネル板２１に設けたものと同様の上部連結具６３と下部連結具６４を設け、前記オープン枠体５１の側方で前記縦枠１２の下方の係合孔１２ａと補助縦枠６２の下方の係合孔６２ａに、下部連結具６４のフック６４ａを係止するとともに、前記縦枠１２の上方の係合孔１２ａと補助縦枠６２の上方の係合孔６２ａに、上部連結具６３の係合爪６３ａを弾性的に嵌入して保持する。また、前記オープン枠体５１及び両補助パネル板６１，６１の上下には、前記パネル板２１，…を取付ける。
【００３７】
このような本実施形態では、前記オープン枠体５１の横幅に応じて両補助縦枠６２，６２の間隔を設定して、フレーム１１を構成する上横枠１３ａや下横枠１３ｂ、更には中横枠１４の所定位置に固定すれば、オープン枠体５１の横幅を自由に設定することができる。
【産業上の利用可能性】
【００３８】
本発明に係る大部屋の個室化パネルシステムは、病院の大部屋病室に適用することを主な用途とするが、その他の既存の大部屋を個室化する用途、例えば簡易宿泊所、緊急避難所等において大部屋、例えば体育館や公民館等の室内を複数に区画して個室化する用途にも適用できるものである。
【図面の簡単な説明】
【００３９】
【図１】本発明に係る大部屋の個室化パネルシステムが用いられた大部屋病室の例を示す平面図である。
【図２】壁側パネル及びサイドパネルを構成する間仕切パネルの構造の部分分解斜視図である。
【図３】パネル板を縦枠に取付ける構造を示す部分分解斜視図である。
【図４】フレームの表裏両面にパネル板を取付けた状態を示す縦断側面図である。
【図５】間仕切パネルの連結構造を示す分解斜視図である。
【図６】同じく横断平面図である。
【図７】本発明の簡略斜視図である。
【図８】壁面パネルに開口部を設けた状態の拡大斜視図である。
【図９】オープン枠体を示し、左半分は背面図、右半分は正面図である。
【図１０】オープン枠体とフレームとの関係を示し、前面側から見た部分分解斜視図である。
【図１１】オープン枠体とフレームとの関係を示し、後面側から見た部分分解斜視図である。
【図１２】オープン枠体を設けた壁側パネルを構造壁に沿って設置した使用状態の簡略縦断面図である。
【図１３】本発明の第２実施形態を示し、オープン枠体を設けた壁側パネルを構造壁に沿って設置した使用状態の簡略縦断面図である。
【図１４】本発明の第３実施形態を示し、オープン枠体を設けた壁側パネルを構造壁に沿って設置した使用状態の簡略縦断面図である。
【図１５】本発明の第４実施形態を示し、一部に開口部を設けた壁側パネルの斜視図である。
【図１６】同じく要部の分解斜視図である。
【図１７】補助パネル板の背面斜視図である。
【符号の説明】
【００４０】
Ａ  大部屋の個室化パネルシステム    Ｂ  ベッド
Ｃ  構造壁                          Ｄ  出入口
ＣＴ  カーテン                      Ｒ  大部屋
Ｒ１〜Ｒ４  準個室                  Ｓ  共用空間
Ｗ  窓                              Ｆ  床面
Ｍ  開口部
１  壁側パネル                      ２  サイドパネル
１１  フレーム                      １２  縦枠
１２ａ  係合孔                      １２ｂ  通孔
１３  横枠                          １３ａ  上横枠
１３ｂ  下横枠                      １４  中横枠
２１  パネル板                      ２２  横目地材
３１  上部連結具                    ３１ａ  係合爪
３２  下部連結具                    ３２ａ  フック
４１  連結ブロック                  ４１ａ，４１ｂ  螺孔
４１ｃ  突起部                      ４２  取付部材
４２ａ  螺孔                        ４２ｂ  通孔
４３  取付ボルト                    ４４  取付ネジ
４５  連結部カバー                  ４６  目地カバー
４７  側カバー
５１  オープン枠体                  ５２  縦枠部材
５２ａ  表面部                      ５２ｂ  内側面部
５３  横枠部材                      ５３ａ  表面部
５３ｃ  立下げ部                    ５３ｄ  立下げ部
５４  横枠部材                      ５４ａ  表面部
５４ｂ  内側面部                    ５４ｃ  立上げ部
５４ｄ  立上げ部                    ５５  係止具
５６  Ｌ金具                        ５７  レール部
５８  引戸
６１  補助パネル板                  ６２  補助縦枠
６２ａ  係合孔                      ６２ａ       補助縦枠
６３  上部連結具                    ６３ａ  係合爪
６４  下部連結具                    ６４ａ  フック
【図１】
2007002488.tif 000003
【図２】
2007002488.tif 000004
【図３】
2007002488.tif 000005
【図４】
2007002488.tif 000006
【図５】
2007002488.tif 000007
【図６】
2007002488.tif 000008
【図７】
2007002488.tif 000009
【図８】
2007002488.tif 000010
【図９】
2007002488.tif 000011
【図１０】
2007002488.tif 000012
【図１１】
2007002488.tif 000013
【図１２】
2007002488.tif 000014
【図１３】
2007002488.tif 000015
【図１４】
2007002488.tif 000016
【図１５】
2007002488.tif 000017
【図１６】
2007002488.tif 000018
【図１７】
2007002488.tif 000019